【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
１以上のレンズ群を含む前群、該前群の像側に配置された正の屈折力のレンズ群Ｌｐ、該レンズ群Ｌｐの像側に配置された負の屈折力のレンズ群Ｌｎを有し、ズーミングに際して隣り合うレンズ群の間隔が変化するズームレンズにおいて、
広角端における前記前群の合成焦点距離は負であり、広角端から望遠端へのズーミングに際して、前記レンズ群Ｌｐは物体側に移動し、
第１ズーム位置における無限遠から近距離へのフォーカシングに際して、前記レンズ群Ｌｎは像側へ移動し、
前記第１ズーム位置よりも望遠側の第２ズーム位置における無限遠から近距離へのフォーカシングに際して、前記レンズ群Ｌｐは像側へ移動し、前記レンズ群Ｌｎは物体側へ移動することを特徴とするズームレンズ。
【請求項２】
前記第１ズーム位置における無限遠から近距離のフォーカシングに際して、前記レンズ群Ｌｐは像側に移動することを特徴とする請求項１に記載のズームレンズ。
【請求項３】
前記レンズ群Ｌｐの焦点距離をｆＬｐ、前記レンズ群Ｌｎの焦点距離をｆＬｎとするとき、
０．３＜−ｆＬｐ／ｆＬｎ＜０．８
なる条件式を満たすことを特徴とする請求項１または２に記載のズームレンズ。
【請求項４】
前記レンズ群Ｌｐの広角端における横倍率をβｐｗ、前記レンズ群Ｌｎの広角端における横倍率をβｎｗとするとき、
−３．０＜βｐｗ＜−０．５
｜βｎｗ｜＞３．０
なる条件式を満たすことを特徴とする請求項１乃至３のいずれか１項に記載のズームレンズ。
【請求項５】
前記レンズ群Ｌｐの望遠端における横倍率をβｐｔ、前記レンズ群Ｌｎの望遠端における横倍率をβｎｔとするとき、
｜βｐｔ｜＞２．０
−３．０＜βｎｔ＜−０．２
なる条件式を満たすことを特徴とする請求項１乃至４のいずれか１項に記載のズームレンズ。
【請求項６】
前記第１ズーム位置における無限遠から近距離へのフォーカシングに際して、レンズ群Ｌｐは像側へ移動し、前記第１ズーム位置における無限遠から近距離へのフォーカシングに際しての前記レンズ群Ｌｐの移動量をＤＬｐｗ、前記第１ズーム位置における無限遠から近距離へのフォーカシングに際しての前記レンズ群Ｌｎの移動量をＤＬｎｗとするとき、
０．０≦ＤＬｐｗ／ＤＬｎｗ＜１．２
なる条件式を満たすことを特徴とする請求項１乃至５のいずれか１項に記載のズームレンズ。
【請求項７】
前記第２ズーム位置における無限遠から近距離へのフォーカシングに際しての前記レンズ群Ｌｐの移動量をＤＬｐｔ、前記第２ズーム位置における無限遠から近距離へのフォーカシングに際しての前記レンズ群Ｌｎの移動量をＤＬｎｔとするとき、
０．１＜−ＤＬｎｔ／ＤＬｐｔ＜１．０
なる条件式を満たすことを特徴とする請求項１乃至６のいずれか１項に記載のズームレンズ。
【請求項８】
前記レンズ群Ｌｎは２枚以下のレンズより構成されることを特徴とする請求項１乃至７のいずれか１項に記載のズームレンズ。
【請求項９】
前記レンズ群Ｌｐは２枚以下のレンズより構成されることを特徴とする請求項１乃至８のいずれか１項に記載のズームレンズ。
【請求項１０】
物体側より像側へ順に配置された、負の屈折力の第１レンズ群、正の屈折力の第２レンズ群、負の屈折力の第３レンズ群、正の屈折力の第４レンズ群から構成され、前記第２レンズ群が前記レンズ群Ｌｐであり、前記第３レンズ群が前記レンズ群Ｌｎであることを特徴とする請求項１乃至９のいずれか１項に記載のズームレンズ。
【請求項１１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群から構成され、前記第３レンズ群が前記レンズ群Ｌｐであり、前記第４レンズ群が前記レンズ群Ｌｎであることを特徴とする請求項１乃至９のいずれか１項に記載のズームレンズ。
【請求項１２】
前記レンズ群Ｌｐの焦点距離をｆＬｐ、広角端における全系の焦点距離をｆｗとするとき、
１．５０＜ｆＬｐ／ｆｗ＜４．００
なる条件式を満たすことを特徴とする請求項１乃至１１のいずれか１項に記載のズームレンズ。
【請求項１３】
前記レンズ群Ｌｎの焦点距離をｆＬｎ、広角端における全系の焦点距離をｆｗとするとき、
２．５０＜−ｆＬｎ／ｆｗ＜１０．００
なる条件式を満たすことを特徴とする請求項１乃至１２のいずれか１項に記載のズームレンズ。
【請求項１４】
広角端における前記前群の合成焦点距離をｆＦｗ、広角端における全系の焦点距離をｆｗとするとき、
０．７０＜−ｆＦｗ／ｆｗ＜２．５０
なる条件式を満たすことを特徴とする請求項１乃至１３のいずれか１項に記載のズームレンズ。
【請求項１５】
前記レンズ群Ｌｎより像側に配置され、１以上のレンズ群を含む後群をさらに有し、広角端における前記後群の合成焦点距離をｆＲｗ、広角端における全系の焦点距離をｆｗとするとき、
１．５０＜ｆＲｗ／ｆｗ＜５．００
なる条件式を満たすことを特徴とする請求項１乃至１４のいずれか１項に記載のズームレンズ。
【請求項１６】
広角端における全系の焦点距離をｆｗ、望遠端における全系の焦点距離をｆｔ、前記第１ズーム位置における全系の焦点距離をｆａ１、前記第２ズーム位置における全系の焦点距離をｆａ２とするとき、
ｆａ１≦０．８×ｆｗ＋０．２×ｆｔ
ｆａ２＞０．２×ｆｗ＋０．８×ｆｔ
を満足することを特徴とする請求項１乃至１５のいずれか１項に記載のズームレンズ。
【請求項１７】
全ズーム範囲において前記前群の合成焦点距離は負であることを特徴とする請求項１乃至１６のいずれか１項に記載のズームレンズ。
【請求項１８】
請求項１乃至１７のいずれか１項に記載のズームレンズと、該ズームレンズによって形成された像を受光する撮像素子を有することを特徴とする撮像装置。
【手続補正２】
【補正対象書類名】明細書
【補正対象項目名】００１０
【補正方法】変更
【補正の内容】
【００１０】
本発明のズームレンズは、１以上のレンズ群を含む前群、該前群の像側に配置された正の屈折力のレンズ群Ｌｐ、該レンズ群Ｌｐの像側に配置された負の屈折力のレンズ群Ｌｎを有し、ズーミングに際して隣り合うレンズ群の間隔が変化するズームレンズにおいて、
広角端における前記前群の合成焦点距離は負であり、広角端から望遠端へのズーミングに際して、前記レンズ群Ｌｐは物体側に移動し、
第１ズーム位置における無限遠から近距離へのフォーカシングに際して、前記レンズ群Ｌｎは像側へ移動し、
前記第１ズーム位置よりも望遠側の第２ズーム位置における無限遠から近距離へのフォーカシングに際して、前記レンズ群Ｌｐは像側へ移動し、前記レンズ群Ｌｎは物体側へ移動することを特徴としている。
【手続補正３】
【補正対象書類名】明細書
【補正対象項目名】００１３
【補正方法】変更
【補正の内容】
【００１３】
以下、本発明のズームレンズ及びそれを有する撮像装置の実施例について説明する。本発明のズームレンズは、１以上のレンズ群を含む前群、前群の像側に配置された正の屈折力のレンズ群Ｌｐ、レンズ群Ｌｐの像側に配置された負の屈折力のレンズ群Ｌｎを有し、ズーミングに際して隣り合うレンズ群の間隔が変化する。ここで前群とはレンズ群Ｌｐよりも物体側に位置する全てのレンズ群をいう。広角端における前群の合成焦点距離は負であり、広角端から望遠端へのズーミングに際して、レンズ群Ｌｐは物体側に移動する。
【手続補正４】
【補正対象書類名】明細書
【補正対象項目名】００４１
【補正方法】変更
【補正の内容】
【００４１】
第１ズーム位置におけるフォーカシングに際してのレンズ群Ｌｐの移動量をＤＬｐｗ、第１ズーム位置におけるフォーカシングに際してのレンズ群Ｌｎの移動量をＤＬｎｗとする。但し、移動量の符号は無限遠から近距離へのフォーカシングに際して物体側から像側への移動を正とする。これは以下同じである。第２ズーム位置におけるフォーカシングに際してのレンズ群Ｌｐの移動量をＤＬｐｔ、第２ズーム位置におけるフォーカシングに際してのレンズ群Ｌｎの移動量をＤＬｎｔとする。
【手続補正５】
【補正対象書類名】明細書
【補正対象項目名】００５５
【補正方法】変更
【補正の内容】
【００５５】
次に、本発明のズームレンズは、フォーカシングの際に駆動するレンズ群が、レンズ群Ｌｐとレンズ群Ｌｎの２つとするのが良く、これによれば駆動機構の簡易化が容易になる。またレンズ群Ｌｎが、２枚以下のレンズより構成するのが良く、これによればレンズ群が軽量化され、合焦の高速化が容易になる。またレンズ群Ｌｐが、２枚以下のレンズより構成するのが良く、これによればレンズ群が軽量化され、合焦の高速化が容易になる。全ズーム範囲において前群ＬＦの合成焦点距離は負である。これにより広画角化を容易にしている。
【手続補正６】
【補正対象書類名】明細書
【補正対象項目名】００５６
【補正方法】変更
【補正の内容】
【００５６】
本発明のズームレンズのズームタイプは例えば次のとおりである。物体側より像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４から構成され、第２レンズ群Ｌ２がレンズ群Ｌｐであり、第３レンズ群Ｌ３がレンズ群Ｌｎである。
【手続補正７】
【補正対象書類名】明細書
【補正対象項目名】００５７
【補正方法】変更
【補正の内容】
【００５７】
この他、物体側より像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成される。そして第３レンズ群Ｌ３がレンズ群Ｌｐであり、第４レンズ群Ｌ４がレンズ群Ｌｎである。